(57)【要約】【課題】  血糖値を低負担で適切に管理することができるようにする。【解決手段】  検出部は、ユーザを対象とした行動情報及び生体情報を検出する。血糖値推定部は、検出部により検出された行動情報及び生体情報を代謝モデルに適用して、推定生体情報を算出する。提示部は、血糖値推定部により算出された推定生体情報に基づいて算出された推奨行動をユーザに提示する。本技術は、生体情報を予測する情報処理装置に適用することができる。【選択図】図２
2012235869.tif 000002
【特許請求の範囲】
【請求項１】
ユーザを対象とした行動情報及び生体情報を検出する検出部と、
前記検出部により検出された前記行動情報及び前記生体情報を代謝モデルに適用して、推定生体情報を算出する生体情報推定部と、
前記生体情報推定部により算出された前記推定生体情報に基づいて算出された推奨行動をユーザに提示する提示部と
を備える情報処理装置。
【請求項２】
前記推奨行動をユーザに実施させる実施部
をさらに備える請求項１に記載の情報処理装置。
【請求項３】
前記検出部により検出された前記行動情報及び前記生体情報に基づいて、前記ユーザの行動を推定する行動推定部
をさらに備える請求項２に記載の情報処理装置。
【請求項４】
前記生体情報推定部により算出された前記推定生体情報に基づいて、前記推奨行動を算出する推奨行動算出部と、
前記検出部により検出された実測生体情報と前記生体情報推定部により算出された前記推定生体情報とを用いて、前記代謝モデルを更新する更新部
をさらに備える請求項３に記載の情報処理装置。
【請求項５】
前記実施部は、前記ユーザの脳を活性化するための行動または前記ユーザの筋肉運動を前記ユーザに実施させる
請求項２に記載の情報処理装置。
【請求項６】
前記更新部は、前記検出部により検出された前記実測生体情報と前記生体情報推定部により算出された前記推定生体情報との差分を用いて、前記代謝モデルを更新する
請求項４に記載の情報処理装置。
【請求項７】
前記生体情報の実測値又は前記推定生体情報を用いて前記推奨行動を算出するかを判定する判定部
をさらに備える請求項６に記載の情報処理装置。
【請求項８】
前記行動情報は、食事情報又は運動情報または服薬情報であり、
前記生体情報は、血糖値情報又は尿糖値情報である
請求項７に記載の情報処理装置。
【請求項９】
前記生体情報推定部による前記推定生体情報の算出に補助的に用いられる情報の記憶を制御する記憶制御部
をさらに備える請求項８に記載の情報処理装置。
【請求項１０】
前記情報は、前記ユーザとは異なる他者についての、前記実測生体情報に対する前記推定生体情報との差分である
請求項９に記載の情報処理装置。
【請求項１１】
前記情報は、前記ユーザについての、前記実測生体情報に対する前記推定生体情報との差分である
請求項１０に記載の情報処理装置。
【請求項１２】
ユーザを対象とした行動情報及び生体情報を検出する検出ステップと、
前記検出ステップの処理により検出された前記行動情報及び前記生体情報を代謝モデルに適用して、推定生体情報を算出する生体情報推定ステップと、
前記生体情報推定ステップの処理により算出された前記推定生体情報に基づいて算出された推奨行動をユーザに提示する提示ステップと
を含む情報処理方法。
【発明の詳細な説明】
【技術分野】
【０００１】
本技術は、情報処理装置及び方法に関し、特に、血糖値を低負担で適切に管理することができる、情報処理装置及び方法に関する。
【背景技術】
【０００２】
従来から、糖尿病の患者にとっては、血糖値の管理は健康管理に関わる重大な事項であるため、血糖値を予測して患者に提示する装置が知られている（例えば、特許文献１参照）。
【先行技術文献】
【特許文献】
【０００３】
【特許文献１】特許第３７３５６６０号公報
【発明の概要】
【発明が解決しようとする課題】
【０００４】
しかしながら、患者にとっては、特許文献１等の従来の装置から血糖値の予測の提示を受けるためには、先ず、血糖値の予測に必要な情報として、例えば食事内容、運動内容、服薬内容等の情報を、手動入力せねばならず、負担が大きい。さらに、患者にとっては、単に血糖値の予測値が提示されるに過ぎず、その後の血糖値の管理を適切に行うためには、血糖値の予測値に基づいて自ら考えた行動を採るほかなく、この点も多大な負担になっている。
【０００５】
本技術は、このような状況に鑑みてなされたものであり、血糖値を低負担で適切に管理できるようにしたものである。
【課題を解決するための手段】
【０００６】
本技術の一側面の情報処理装置は、ユーザを対象とした行動情報及び生体情報を検出する検出部と、前記検出部により検出された前記行動情報及び前記生体情報を代謝モデルに適用して、推定生体情報を算出する生体情報推定部と、前記生体情報推定部により算出された前記推定生体情報に基づいて算出された推奨行動をユーザに提示する提示部とを備える。
【０００７】
前記推奨行動をユーザに実施させる実施部をさらに備えることができる。
【０００８】
前記検出部により検出された前記行動情報及び前記生体情報に基づいて、前記ユーザの行動を推定する行動推定部をさらに備えることができる。
【０００９】
前記生体情報推定部により算出された前記推定生体情報に基づいて、前記推奨行動を算出する推奨行動算出部と、前記検出部により検出された実測生体情報と前記生体情報推定部により算出された前記推定生体情報とを用いて、前記代謝モデルを更新する更新部をさらに備えることができる。
【００１０】
前記実施部は、前記ユーザの脳を活性化するための行動または前記ユーザの筋肉運動を前記ユーザに実施させることができる。
【００１１】
前記更新部は、前記検出部により検出された前記実測生体情報と前記生体情報推定部により算出された前記推定生体情報との差分を用いて、前記代謝モデルを更新することができる。
【００１２】
前記生体情報の実測値又は前記推定生体情報を用いて前記推奨行動を算出するかを判定する判定部をさらに備えることができる。
【００１３】
前記行動情報は、食事情報又は運動情報または服薬情報とし、前記生体情報は、血糖値情報又は尿糖値情報とすることができる。
【００１４】
前記生体情報推定部による前記推定生体情報の算出に補助的に用いられる情報の記憶を制御する記憶制御部をさらに備えることができる。
【００１５】
前記情報は、前記ユーザとは異なる他者についての、前記実測生体情報に対する前記推定生体情報との差分とすることができる。
【００１６】
前記情報は、前記ユーザについての、前記実測生体情報に対する前記推定生体情報との差分とすることができる。
【００１７】
本技術の一側面の情報処理方法は、上述した本技術の一側面の情報処理装置に対応する方法である。
【００１８】
本技術の一側面の情報処理装置及び方法においては、ユーザを対象とした行動情報及び生体情報が検出され、検出された前記行動情報及び前記生体情報が代謝モデルに適用され、推定生体情報が算出され、算出された前記推定生体情報に基づいて算出された推奨行動がユーザに提示される。
【発明の効果】
【００１９】
以上のごとく、本技術によれば、血糖値を低負担で適切に管理することができる。
【図面の簡単な説明】
【００２０】
【図１】推奨行動提示実施システムの構成例を示すブロック図である。
【図２】推奨行動提示実施システムの機能的構成例を示すブロック図である。
【図３】推奨行動提示実施処理の流れを説明するフローチャートである。
【図４】患者の服薬情報と注射情報の検出について説明する図である。
【図５】患者の血糖値の検出について説明する図である。
【図６】患者の尿糖値の検出について説明する図である。
【図７】患者の食事の推定について説明する図である。
【図８】患者の食事内容が撮影される様子を模式的に示す図である。
【図９】患者の運動の推定について説明する図である。
【図１０】臓器情報取得装置の構成例を示す図である。
【図１１】臓器情報取得装置の他の構成例を示す図である。
【図１２】患者の血糖値を下げるための既存の手法について説明する図である。
【図１３】推奨行動実施デバイスによる患者の血糖値を下げるための手法について説明する図である。
【図１４】脳活性化実施デバイスの構成例を示す図である。
【図１５】本技術が適用される情報処理装置のハードウェアの構成例を示すブロック図である。
【発明を実施するための形態】
【００２１】
[推奨行動提示実施システム１の構成]
図１は、推奨行動提示実施システム１の構成例を示すブロック図である。
【００２２】
推奨行動提示実施システム１は、血糖値を適切に管理するために推奨される行動を、ユーザである患者に提示または実施させるシステムである。なお、本実施形態において、患者とは、人間のみならず、ペット等の動物をも含むものとする。
【００２３】
このような推奨行動提示実施システム１は、図１に示されるように、行動生体情報検出装置１１、行動生体情報データベース１２、行動推定装置１３、血糖値推定装置１４、血糖値推定用補助情報提供装置１５、推奨行動算出装置１６、推奨行動提示デバイス１７、及び推奨行動実施デバイス１８から構成されている。
【００２４】
行動生体情報検出装置１１は、患者を対象とした行動情報及び生体情報を検出する。行動情報は、患者の行動に関する情報である。患者の行動としては、例えば、食事、運動、服薬、注射、電子決済等が存在する。生体情報は、患者の生体の状態を特定したり推定するための情報である。例えば、患者の血糖値、尿糖値、心拍数等が、生体情報の一例である。
【００２５】
行動生体情報データベース１２は、例えばクラウドネットワーク上に設置され、行動生体情報検出装置１１の検出結果、即ち患者についての行動情報及び生体情報を記憶する。
【００２６】
行動推定装置１３は、行動生体情報データベース１２に記憶された患者についての行動情報及び生体情報に基づいて、患者の行動を推定する。なお、行動推定装置１３による患者の行動の推定処理の詳細については、図７乃至図９を用いて後述する。行動推定装置１３は、患者の行動の推定結果を、血糖値推定装置１４に供給する。
【００２７】
血糖値推定装置１４は、行動生体情報データベース１２に記憶された患者についての行動情報及び生体情報、並びに行動推定装置１３による患者の行動の推定結果をそれぞれ代謝モデルに適用して、患者の現在の血糖値を推定する。このようにして推定された血糖値を、以下、推定血糖値と呼ぶ。また、代謝モデルとしては、例えば、特開２００７−１７２３５（国立大学法人神戸大学）等に記載されている数理モデルを適用することが可能である。このような数理モデルに対して、行動情報や生体情報等がパラメータとして入力されて、推定血糖値が算出される。
【００２８】
なお、血糖値推定装置１４により算出された患者の推定血糖値は、行動推定装置１３により推定された患者の行動(以下、推定行動と称する)と対応付けられて、行動生体情報データベース１２に記憶される。このような対応付けを確認することにより、患者の行動パターンと血糖値との関連性が推定可能になる。なお、このようにして行動生体情報データベース１２に記憶された推定血糖値と推定行動は、患者とは異なる他者の処理においても利用することが可能になる。
【００２９】
血糖値推定用補助情報提供装置１５は、血糖値推定装置１４による代謝モデルを用いた血糖値の推定の処理に補助的に用いられる情報（以下、血糖値推定用補助情報と呼ぶ）を記憶する。血糖値推定用補助情報については、後述する。血糖値推定装置１４は、このような血糖値推定用補助情報を用いることで、代謝モデルの精度を向上させるように改善させ、ひいては推定血糖値の信頼性を向上させることができる。
【００３０】
推奨行動算出装置１６は、血糖値推定装置１４から出力された、患者の現在の推定血糖値に基づいて、患者に推奨する行動（以下、推奨行動と呼ぶ）を算出する。具体的には、本実施の形態では、推奨行動算出装置１６は、患者の現在の推定血糖値を用いて、複数の推奨行動の候補を求めて、血糖値推定装置１４に提供する。血糖値推定装置１４は、これらの複数の推奨行動の候補のそれぞれが未来に実施されたと仮定して、患者の未来の推定血糖値をそれぞれ算出して、推奨行動算出装置１６に提供する。推奨行動算出装置１６は、複数の推奨行動の候補のうち、未来の推定血糖値が適切な範囲内にある候補を推奨行動として選抜する。
【００３１】
推奨行動提示デバイス１７は、推奨行動算出装置１６により算出された推奨行動と、当該推奨行動が実施された場合の未来の推定血糖値とを、患者に提示する。また、推奨行動提示デバイス１７は、「食事Ａをしたいならば、運動Ｒをすればよい」等の条件付き推奨行動も提示することができる。
【００３２】
推奨行動実施デバイス１８は、推奨行動算出装置１６により算出された推奨行動を、患者に実施させる。すなわち、推奨行動提示デバイス１７が、患者に対して推奨行動を実施することを促すのに対して、推奨行動実施デバイス１８は、患者が意識しないうちに推奨行動を実施させる。
【００３３】
さらに以下、行動生体情報検出装置１１、血糖値推定用補助情報提供装置１５、推奨行動提示デバイス１７、及び推奨行動実施デバイス１８の各構成要素について、その順番に個別に説明する。
【００３４】
行動生体情報検出装置１１は、患者についての行動情報と生体情報を検出するための構成として、動画カメラ４１、静止画カメラ４２、電子決済情報取得装置４３、位置行動姿勢検出装置４４、服薬注射検出装置４５、血糖値計４６、尿糖値計４７、及び心拍計４８を有している。行動生体情報検出装置１１に含まれる各装置は、患者の周辺に設置されるか、または患者により携帯される。
【００３５】
動画カメラ４１は、監視カメラ等として構成され、行動している患者を被写体として、その被写体の動画を撮影する。なお、動画カメラ４１は、必要に応じて、静止画をも撮影することができる。
【００３６】
静止画カメラ４２は、行動している患者を被写体として、その被写体の静止画を撮影する。
【００３７】
電子決済情報取得装置４３は、患者のICカード等による決済情報を取得する。決済情報には、患者が購入した商品の情報、購入時刻等が含まれる。
【００３８】
位置行動姿勢検出装置４４は、位置センサ、加速度センサ等を含むように構成され、行動している患者の位置及び姿勢を検出する。
【００３９】
服薬注射検出装置４５は、患者の服薬に関する情報（以下、服薬情報と称する）や、患者への注射に関する情報(以下、注射情報と呼ぶ)を検出する。服薬情報には、薬の種類、服薬時刻、用量等が含まれる。また、注射情報には、注射器の内容物、注射時刻、注入量等が含まれる。
【００４０】
血糖値計４６、尿糖値計４７、及び心拍計４８は、それぞれ、患者の血糖値、尿糖値、及び心拍数を計測する。以下、血糖値計４６により計測される患者の血糖値を実測血糖値と称し、尿糖値計４７により計測される患者の尿糖値を実測尿糖値と称する。なお、行動生体情報検出装置１１による、患者についての行動情報と生体情報の検出については、図４乃至６を用いて後述する。
【００４１】
血糖値推定用補助情報提供装置１５は、各種血糖値推定用補助情報を提供するためのデータベースとして、他者差分データベース５１、自己差分データベース５２、遺伝情報データベース５３、及び健康医療情報データベース５４を有している。
【００４２】
他者差分データベース５１は、患者とは異なる他者についての、実測血糖値に対する推定血糖値との差分を、血糖値測定用補助情報のデータの１つとして記憶する。なお、この場合の他者は、患者と類似する体型や体質の者であると好適である。他者差分データベース５１は、複数の他者のデータを記憶するようにしてもよい。
【００４３】
自己差分データベース５２は、患者についての、実測血糖値に対する推定血糖値の差分を、血糖値測定用補助情報のデータの１つとして記憶する。
【００４４】
遺伝情報データベース５３は、患者の遺伝情報を、血糖値測定用補助情報のデータの１つとして記憶する。遺伝情報には、患者の体質や病気のかかりやすさ等の情報が含まれる。
【００４５】
健康医療情報データベース５４は、患者の健康医療情報を、血糖値測定用補助情報のデータの１つとして記憶する。健康医療情報には、患者の診療履歴、病歴等の情報が含まれる。
【００４６】
さらに、血糖値推定用補助情報提供装置１５は、iPS（Induced pluripotent stem）細胞などの多能性細胞を分化誘導させて作られた、患者のクローン膵臓及びクローン肝臓等の活動による血糖値の情報（以下、クローン臓器情報と称する）を、血糖値測定用補助情報の１つとして提供することができる。このため、患者のクローン臓器情報を取得する臓器情報取得装置５５が、血糖値推定用補助情報提供装置１５に設けられている。なお、臓器情報取得装置５５の詳細については、図１０と図１１を用いて後述する。
【００４７】
推奨行動提示デバイス１７は、各種推奨行動等を患者に提示すべく、食事サプリ提示デバイス６１、運動提示デバイス６２、服薬注射提示デバイス６３、及び脳活性化提示デバイス６４を有している。
【００４８】
食事サプリ提示デバイス６１は、食事についての推奨行動が推奨行動算出装置１６により算出された場合、患者に推奨する食事やサプリメントの内容を、当該食事やサプリメントを摂取した場合の未来の推定血糖値とともに、画像や音声により患者に提示する。
【００４９】
運動提示デバイス６２は、運動についての推奨行動が推奨行動算出装置１６により算出された場合、患者に推奨する運動の内容を、当該運動を実施した場合の未来の推定血糖値とともに、画像や音声により患者に提示する。
【００５０】
服薬注射提示デバイス６３は、服薬についての推奨行動が推奨行動算出装置１６により算出された場合、患者に推奨する服薬や注射の内容を、当該服薬や注射を実施した場合の未来の推定血糖値とともに、画像や音声により患者に提示する。
【００５１】
脳活性化提示デバイス６４は、脳活性化についての推奨行動が推奨行動算出装置１６により算出された場合、患者に推奨する脳活性化を実現する行動の内容を、当該脳活性化を実現する行動を実施した場合の未来の推定血糖値とともに、画像や音声により患者に提示する。
【００５２】
一般的に、脳が活性化すると、血中の糖の消費が促進され、その結果血糖値が下がる。したがって、脳活性化提示デバイス６４は、患者の脳を活性化させるために、例えば、五感を刺激する行動の内容を当該患者に提示する。五感を刺激する行動として、例えば、香りを嗅ぐ、音楽を聴く、映像を視る、物体に接触する、クイズや迷路等の問題を解く等の行動を採用することができる。また、一般的に、筋肉運動が行われると、筋肉が糖を取り込んで血糖値が下がる。したがって、脳活性化提示デバイス６４は、筋肉運動も脳活性化についての行動の１つとして、例えば、所定の運動の内容を患者に提示する。
【００５３】
推奨行動実施デバイス１８は、患者に推奨行動を実施させるべく、脳活性化実施デバイス７１、筋肉運動実施デバイス７２、及び他システム連動装置７３を有している。
【００５４】
脳活性化実施デバイス７１は、脳を活性化するための行動を、患者に意識させずに実施させる。例えば、脳活性化実施デバイス７１は、患者の明示の操作がなくとも、お香やアロマオイルの芳香成分を患者の鼻付近に滞留させたり、音楽や映像を出力したり、所定の物体を患者に接触させることによって、患者の脳を活性化させる。また、例えば、脳活性化実施デバイス７１は、患者に問題を出題して解答させることによって、患者の脳を活性化させるようにしてもよい。なお、脳活性化実施デバイス７１の処理の詳細については、図１４を用いて後述する。
【００５５】
筋肉運動実施デバイス７２は、患者の脳からの指令でなく外部からの指令により、当該患者に筋肉運動を実施させる。例えば、筋肉運動実施デバイス７２は、患者に装着させるEMS（Electrical Muscle Stimulation）装置等の電気刺激により筋肉を収縮させる運動器具として構成され、当該電気刺激を外部から患者の筋肉に与えることによって、当該患者の筋肉運動を実施させる。なお、推奨行動実施デバイス１８の処理の詳細については、図１３と図１４を用いて後述する。
【００５６】
他システム連動装置７３は、図示せぬ他のシステムと連動することにより、患者に推奨行動を実施させる。例えば、他システム連動装置７３は、図示せぬ食事配膳システムに、推奨される献立を患者に対して配膳するように指示することによって、結果として、推奨される献立で患者に食事をさせることができる。また、例えば、他システム連動装置７３は、図示せぬ宅配システムに、推奨される食物や薬等を患者に対して宅配するように指示することによって、結果として、推奨される食べ物で患者に食事をさせたり、推奨される薬を患者に服薬させることができる。
【００５７】
次に、図１に示される推奨行動提示実施システム１が有する機能のうち、血糖値を適切に管理するための推奨行動を、患者に提示または実施させるための各種機能を実現させるための機能的構成例を、図２を用いて説明する。
【００５８】
[推奨行動提示実施システム１の機能的構成]
図２は、図１の推奨行動提示実施システム１の機能的構成例を示すブロック図である。
【００５９】
推奨行動提示実施システム１は、機能的には、検出部１０１、行動生体情報記憶制御部１０２、行動推定部１０３、血糖値推定部１０４、補助情報提供部１０５、推奨行動算出部１０６、提示部１０７、及び実施部１０８を有している。
【００６０】
検出部１０１は、図１の行動生体情報検出装置１１の一部の機能を発揮するために設けられる機能ブロックであり、患者の行動情報と生体情報を検出する。
【００６１】
行動生体情報記憶制御部１０２は、図１の行動生体情報データベース１２に対する記憶を制御する機能ブロックである。行動生体情報記憶制御部１０２は、検出部１０１により患者の行動情報と生体情報として最初の情報が検出されると、行動生体情報データベース１２を構築して、当該最初の情報を行動生体情報データベース１２に記憶させる。さらに、検出部１０１により患者の行動情報と生体情報として新たな情報が検出されると、行動生体情報記憶制御部１０２は、当該新たな情報を行動生体情報データベース１２に記憶させ、行動生体情報データベース１２を更新する。
【００６２】
行動推定部１０３は、図１の行動推定装置１３の一部の機能を発揮するために設けられる機能ブロックであり、行動生体情報記憶制御部１０２により記憶が制御された行動情報及び生体情報に基づいて、患者の行動を推定する。
【００６３】
血糖値推定部１０４は、図１の血糖値推定装置１４の一部の機能を発揮するために設けられる機能ブロックであり、行動生体情報記憶制御部１０２により記憶が制御された行動情報及び生体情報、並びに行動推定部１０３による患者の行動の推定結果を、それぞれ代謝モデルに適用して、患者の現在の血糖値を推定する。
【００６４】
また、血糖値推定部１０４は、補助情報提供部１０５から提供される血糖値推定用補助情報を用いて、患者の現在の血糖値を推定し、代謝モデルの精度を向上させる。
【００６５】
血糖値推定部１０４は、更新部１１１を有する。更新部１１１は、行動生体情報記憶制御部１０２により記憶された実測血糖値と、血糖値推定部１０４が算出した推定血糖値の差分を用いて、代謝モデルを更新する。
【００６６】
なお、血糖値推定部１０４により算出された推定血糖値は、行動推定部１０３により算出された推定行動と対応付けられて、行動生体情報記憶制御部１０２により記憶が制御される。
【００６７】
補助情報提供部１０５は、図１の血糖値推定用補助情報提供装置１５の一部の機能を発揮するために設けられる機能ブロックであり、血糖値推定用補助情報を血糖値推定部１０４に提供する。
【００６８】
補助情報提供部１０５は、記憶制御部１２１及び臓器情報取得部１２２を有する。
【００６９】
記憶制御部１２１は、図１の他者差分データベース５１、自己差分データベース５２、遺伝情報データベース５３、及び健康医療情報データベース５４に対する記憶を制御する機能ブロックである。記憶制御部１２１は、他者についての実測血糖値に対する推定血糖値との差分、患者についての実測血糖値に対する推定血糖値との差分、患者の遺伝情報、健康医療情報等を、血糖値測定用補助情報のデータとして、それぞれのデータベースに記憶させる。
【００７０】
臓器情報取得部１２２は、図１の臓器情報取得装置５５の一部の機能を発揮するために設けられる機能ブロックであり、患者のクローン臓器情報を取得する。
【００７１】
推奨行動算出部１０６は、図１の推奨行動算出装置１６の一部の機能を発揮するために設けられる機能ブロックであり、血糖値推定部１０４により算出された推定血糖値に基づいて、推奨行動を算出する。
【００７２】
推奨行動算出部１０６は、判定部１３１を有する。判定部１３１は、行動生体情報記憶制御部１０２により記憶が制御された実測血糖値と、血糖値推定部１０４により算出された推定血糖値のどちらを用いて推奨行動を算出するかを判定する。通常の場合、実測血糖値を用いて算出された推奨行動の方が、推定血糖値を用いて算出された推奨行動よりも適切であることが多いため、判定部１３１は、実測血糖値を用いて推奨行動を算出すると判定する。しかしながら、実測血糖値が、検出されてから長期間が経過したものである場合や、通常の条件下で検出されたものでない場合、例えば、患者が通常よりも高カロリーな食事をとった直後に検出されたものである場合には、推定血糖値を用いて算出された推奨行動の方が適切なことが多い。したがって、このような場合、判定部１３１は、推定血糖値を用いて推奨行動を算出すると判定する。
【００７３】
提示部１０７は、図１の推奨行動提示デバイス１７の一部の機能を発揮するために設けられる機能ブロックであり、推奨行動算出部１０６により算出された推奨行動と、当該推奨行動が実施された場合の未来の推定血糖値とを提示する。また、提示部１０７は、条件付き推奨行動を提示することができる。
【００７４】
実施部１０８は、図１の推奨行動実施デバイス１８の一部の機能を発揮するために設けられる機能ブロックであり、推奨行動算出部１０６により算出された推奨行動を患者に実施させる。すなわち、実施部１０８は、脳を活性化するための行動または筋肉運動を、患者に実施させる。
【００７５】
次に、推奨行動提示実施システム１が実行する処理(以下、推奨行動提示実施処理と称する)について説明する。
【００７６】
[推奨行動提示実施処理]
図３は、推奨行動提示実施処理の流れを説明するフローチャートである。
【００７７】
ステップＳ１１において、検出部１０１は、患者の行動情報と生体情報を検出する。すなわち、検出部１０１は、動画カメラ４１、静止画カメラ４２、電子決済情報取得装置４３、位置行動姿勢検出装置４４、及び服薬注射検出装置４５によって、患者の各種行動情報を検出する。また、検出部１０１は、血糖値計４６、尿糖値計４７、及び心拍計４８によって、患者の各種生体情報を検出する。
【００７８】
検出部１０１により、患者の各種行動情報が検出されるので、患者は、血糖値の予測に必要な行動情報を自ら手動入力する必要がなくなり、負担が軽減される。また、検出部１０１により検出される行動情報は、患者自らの入力によるものでないため、客観的な情報であるということができる。
【００７９】
ステップＳ１２において、行動生体情報記憶制御部１０２は、行動生体情報データベース１２を構築または更新する。すなわち、行動生体情報記憶制御部１０２は、検出部１０１により患者の行動情報と生体情報として最初の情報が検出されると、行動生体情報データベース１２を構築して、当該最初の情報を行動生体情報データベース１２に記憶させる。さらに、検出部１０１により患者の行動情報と生体情報として新たな情報が検出されると、行動生体情報記憶制御部１０２は、当該新たな情報を行動生体情報データベース１２に記憶させ、行動生体情報データベース１２を更新する。
【００８０】
ここで、検出部１０１による行動情報と生体情報の検出、及び行動生体情報記憶制御部１０２による行動生体情報データベース１２の構築または更新についての具体例について、図４乃至図６を用いて説明する。
【００８１】
[服薬注射情報検出]
図４は、検出部１０１による患者の服薬情報と注射情報の検出について説明する図である。すなわち、図４は、検出部１０１により患者の行動情報の１つとして服薬情報と注射情が検出される具体例を示している。
【００８２】
図４に示されるように、行動生体情報検出装置１１は、ピルケースセンサ１４１と注射器センサ１４２を有している。
【００８３】
ピルケースセンサ１４１は、患者の薬が格納されるピルケースに搭載される。ピルケースセンサ１４１は、患者によりピルケースの蓋が開けられた時刻を服薬時刻として検出し、さらに、患者が服薬した薬の用量を検出する。ピルケースセンサ１４１は、薬の種類、服薬時刻、用量等を含む服薬情報を、行動生体情報データベース１２に記憶させる。
【００８４】
注射器センサ１４２は、患者が用いるインシュリン等が入った注射器に搭載される。注射器センサ１４２は、患者により注射器が使用された時刻を注射時刻として検出し、さらに、内容物の注入量を検出する。注射器センサ１４２は、注射器の内容物、注射時刻、注入量等を含む注射情報を、行動生体情報データベース１２に記憶させる。
【００８５】
行動生体情報データベース１２は、ピルケースセンサ１４１により検出された服薬情報及び注射器センサ１４２により検出された注射情報を記憶する。
【００８６】
図２の機能ブロックを用いて換言すると、検出部１０１は、ピルケースセンサ１４１により検出された服薬情報及び注射器センサ１４２により検出された注射情報を、患者の行動情報の１つとして検出して、行動生体情報記憶制御部１０２に供給する。行動生体情報記憶制御部１０２は、検出部１０１から服薬情報及び注射情報が供給されると、行動生体情報データベース１２を構築または更新する。
【００８７】
[血糖値検出]
図５は、検出部１０１による患者の血糖値の検出について説明する図である。すなわち、図５は、検出部１０１により、患者の生体情報の１つとして血糖値が検出される具体例を示している。
【００８８】
図５に示されるように、行動生体情報検出装置１１における血糖値計４６は、患者の血糖値を測定し、測定した血糖値を実測血糖値として、行動生体情報データベース１２に記憶させる。
【００８９】
行動生体情報データベース１２は、血糖値計４６により検出された患者の実測血糖値を記憶する。
【００９０】
図２の機能ブロックを用いて換言すると、検出部１０１は、血糖値計４６により検出された患者の実測血糖値を、患者の生体情報の１つとして検出して、行動生体情報記憶制御部１０２に供給する。行動生体情報記憶制御部１０２は、検出部１０１から患者の実測血糖値が供給されると、行動生体情報データベース１２を構築または更新する。
【００９１】
行動生体情報記憶制御部１０２により記憶が制御された患者の実測血糖値は、血糖値推定部１０４により推定される患者の推定血糖値の初期値として用いられる。また、患者の実測血糖値は、血糖値推定部１０４により算出された患者の推定血糖値と比較されて、推定血糖値の信頼性の確認に用いられる。また、患者の実測血糖値は、自己差分データベース５２により、推定血糖値との差分が算出され、血糖値測定用補助情報のデータの１つとして記憶される。
【００９２】
[尿糖値検出]
ところで、検出部１０１の検出結果は、患者の推定血糖値の算出に用いられていたが、本実施形態ではさらに患者の尿糖値の推定に用いられる場合もある。すなわち、本実施形態では、血糖値推定部１０４は、検出部１０１の検出結果を用いて、患者の推定血糖値のみならず、当該患者の現在の尿糖値も推定することができる。このようにして推定された尿糖値を、以下、推定尿糖値と呼ぶ。なお、推定尿糖値の算出手法は、上述の推定血糖値の算出手法と同様であるため、ここではその説明は省略する。このように、血糖値推定装置１４が推定血糖値のみならず推定尿糖値も算出するのは、患者の血糖値と尿糖値の変化は重複する場合が多く、それゆえ、推定尿糖値の精度を確認することにより、推定血糖値の信頼性の向上が期待できるからである。
【００９３】
このような推定尿糖値の算出のために、例えば、検出部１０１は、患者の尿糖値を検出することもできる。
【００９４】
図６は、検出部１０１による患者の尿糖値の検出について説明する図である。すなわち、図６は、検出部１０１により、患者の生体情報の１つとして尿糖値が検出される具体例を示している。
【００９５】
図６に示されるように、行動生体情報検出装置１１における尿糖値計４７は、患者の尿糖値を測定し、測定した尿糖値を実測尿糖値として、行動生体情報データベース１２に記憶させる。
【００９６】
行動生体情報データベース１２は、尿糖値計４７により検出された患者の実測尿糖値を記憶する。
【００９７】
図２の機能ブロックを用いて換言すると、検出部１０１は、尿糖値計４７により検出された患者の実測尿糖値を、患者の生体情報の１つとして検出して、行動生体情報記憶制御部１０２に供給する。行動生体情報記憶制御部１０２は、検出部１０１から患者の実測糖尿糖値が供給されると、行動生体情報データベース１２を構築または更新する。
【００９８】
行動生体情報記憶制御部１０２により記憶が制御された患者の実測尿糖値は、血糖値推定部１０４により推定される患者の推定尿糖値の初期値として用いられる。また、患者の実測尿糖値は、血糖値推定部１０４により算出された患者の推定尿糖値と比較されて、推定尿糖値の信頼性の確認に用いられる。また、患者の実測尿糖値は、自己差分データベース５２により、推定尿糖値との差分が算出され、血糖値測定用補助情報のデータの１つとして記憶される。
【００９９】
なお、尿糖値計４７による尿糖値の検出は、血糖値計４６とは異なり、針を用いた採血が不要な非侵襲的な手法であることから、患者に負担をかけることはない。
【０１００】
図３のフローチャートの説明に戻り、ステップＳ１３において、行動推定部１０３は、行動生体情報データベース１２に記憶された行動情報と生体情報に基づいて、患者の行動を推定する。
【０１０１】
ここで、行動推定部１０３による患者の行動の推定の一例として、患者の食事と運動の推定の例について、図７乃至図９を参照して説明する。
【０１０２】
[食事推定]
図７は、行動推定部１０３による患者の食事の推定について説明する図である。
【０１０３】
行動生体情報検出装置１１における動画カメラ４１と静止画カメラ４２のうち少なくとも一方は、患者の食事内容を撮影し、その結果得られる画像データを、行動生体情報データベース１２に記憶させる。例えば、図８に示されるように、動画カメラ４１により患者の食事内容が撮影されるとする。
【０１０４】
図８は、患者の食事内容が撮影される様子を模式的に示す図である。
【０１０５】
図８に示されるように、動画カメラ４１は、テーブルの上方に設置される。動画カメラ４１は、患者の食事内容を撮影し、その結果得られる画像データを、撮影時刻の情報ととともに、通信装置１７１を介して行動生体情報データベース１２に記憶させる。なお、図８に示されるように、静止画カメラ４２を広角カメラとしてテーブル上に配置し、患者の食事内容を撮影してもよい。この場合、静止画カメラ４２は、患者の携帯端末に内蔵されるものであってもよい。
【０１０６】
行動生体情報データベース１２は、動画カメラ４１と静止画カメラ４２のうち少なくとも一方により検出された患者の食事内容の画像データを記憶する。
【０１０７】
図２の機能ブロックを用いて換言すると、検出部１０１は、動画カメラ４１と静止画カメラ４２のうち少なくとも一方により得られた患者の食事内容の画像データを、患者の行動情報の１つとして検出して、行動生体情報記憶制御部１０２に供給する。行動生体情報記憶制御部１０２は、検出部１０１から患者の食事内容の画像データが供給されると、行動生体情報データベース１２を構築または更新する。
【０１０８】
さらに、図７に示されるように、行動推定装置１３は、食事の内容を推定する食事推定装置１６１を有する。食事推定装置１６１は、行動生体情報データベース１２から提供される食事内容の画像データから、食事の内容を推定する。例えば、食事推定装置１６１は、食事内容の画像データを参照して、皿ごとの食べ残し量、患者の手に対する食材等の相対的な大きさの比較から得られる食事のボリューム、使用している食器等から、患者が摂取した食事の総カロリー量の値や栄養成分の値等を、食事の内容として推定する。
【０１０９】
図２の機能ブロックを用いて換言すると、行動推定部１０３は、行動生体情報記憶制御部１０２により記憶が制御されている行動情報のうち、患者の食事内容の画像データを用いて、食事内容を推定する。
【０１１０】
なお、患者が所定の食堂等で食事をしている場合には、電子決済情報取得装置４３内の注文システム１５１が取得した情報を、行動情報の１つとして行動生体情報データベース１２に記憶させるようにしてもよい。具体的には、注文システム１５１は、患者が注文したメニューから、食事の総カロリー量の値や栄養成分の値等を行動情報の１つとして取得して行動生体情報データベース１２に供給する。この場合に、食事推定装置１６１は、注文システム１５１が行動情報として取得した情報、すなわち食事の総カロリー量の値や栄養成分の値等を、そのまま推定結果として採用することができる。
【０１１１】
[運動推定]
図９は、行動推定部１０３による患者の運動の推定について説明する図である。
【０１１２】
図９に示されるように、行動生体情報検出装置１１は、加速度センサ１８１と位置センサ１８２を有している。
【０１１３】
位置行動姿勢検出装置４４における加速度センサ１８１と位置センサ１８２は、それぞれが検出した患者の加速度情報と位置情報を、行動生体情報データベース１２に記憶させる。なお、加速度センサ１８１と位置センサ１８２は、患者に携帯させるものとする。
【０１１４】
行動生体情報データベース１２は、加速度センサ１８１と位置センサ１８２により検出された、患者の加速度情報と位置情報を記憶する。
【０１１５】
図２の機能ブロックを用いて換言すると検出部１０１は、加速度センサ１８１により得られた加速度情報と、位置センサ１８２により得られた位置情報を、患者の行動情報の１つとして検出して、行動生体情報記憶制御部１０２に供給する。行動生体情報記憶制御部１０２は、検出部１０１から患者の加速度情報と位置情報が供給されると、行動生体情報データベース１２を構築または更新する。
【０１１６】
さらに、図９に示されるように、行動推定装置１３は、運動の内容を推定する運動推定装置１９１を有する。行動推定部１０３は、行動生体情報データベース１２から取得した加速度情報と位置情報から、運動の内容を推定する。例えば、行動推定部１０３は、患者の加速度情報と位置情報から、運動の種類や運動の強度等を、運動の内容として推定する。
【０１１７】
図２の機能ブロックを用いて換言すると、行動推定部１０３は、行動生体情報記憶制御部１０２により記憶が制御されている行動情報のうち、患者の加速度情報と位置情報を用いて、運動内容を推定する。
【０１１８】
図３のフローチャートの説明に戻り、ステップＳ１４において、血糖値推定部１０４は、血糖値を推定する。すなわち、血糖値推定部１０４は、行動生体情報データベース１２に記憶された行動情報と生体情報、並びに行動推定部１０３により推定された患者の行動をそれぞれ代謝モデルに適用して、患者の現在の血糖値を推定する。
【０１１９】
また、血糖値推定部１０４は、患者の現在の血糖値を推定する場合、血糖値推定用補助情報提供装置１５から提供される血糖値推定用補助情報を補助的に用いる。血糖値推定部１０４は、血糖値推定用補助情報を用いて代謝モデルの精度を向上させ、推定血糖値の信頼性を向上させる。血糖値推定部１０４は、血糖値推定用補助情報として、記憶制御部１２１に記憶された、他者についての実測血糖値に対する推定血糖値との差分、患者についての実測血糖値に対する推定血糖値との差分、患者の遺伝情報、健康医療情報等を用いることができる。
【０１２０】
また、血糖値推定部１０４は、血糖値推定用補助情報として、臓器情報取得部１２２により取得される患者のクローン臓器情報を用いることができる。
【０１２１】
ここで、臓器情報取得装置５５の詳細について図１０と図１１を用いて説明する。
【０１２２】
[臓器情報取得装置５５の構成例]
図１０は、臓器情報取得装置５５の構成例を示す図である。
【０１２３】
図１０に示されるように、臓器情報取得装置５５は、生体再現装置２０１と血中成分制御装置２０２を有している。
【０１２４】
生体再現装置２０１は、iPS細胞などの多能性細胞を分化誘導させて作られた患者のクローン臓器、具体的には同図では血管２２３により結合されたクローン膵臓２２１とクローン肝臓２２２を、患者の体内の環境を再現した再現環境内で活動させるように動作する。
【０１２５】
血中成分制御装置２０２は、行動生体情報データベース１２に記憶された行動情報や生体情報に基づいて、血管２２３の血中成分を制御する。具体的には例えば、血中成分制御装置２０２は、行動生体情報データベース１２に記憶された行動情報から患者が食事をしたと判断した場合には、血管２２３を介してクローン膵臓２２１とクローン肝臓２２２に供給する血の血糖値を上昇させる。また、血中成分制御装置２０２は、行動生体情報データベース１２に記憶された行動情報から患者が運動をしたと判断した場合には、血管２２３を介してクローン膵臓２２１とクローン肝臓２２２に供給する血の血糖値を下降させる。その結果、患者のクローン膵臓２２１とクローン肝臓２２２が血中成分の変化に応じた活動を行い、当該活動に伴って血管２２３の中の血中成分が変化する。
【０１２６】
臓器情報取得装置５５は、患者のクローン膵臓２２１とクローン肝臓２２２の活動により変化した血管２２３内の血中成分、例えば血糖値の情報を取得して、クローン臓器情報として血糖値推定装置１４に提供する。
【０１２７】
ここで、患者のクローン膵臓２２１とクローン肝臓２２２の活動による血中成分の変化は、患者の体内の血中成分の変化と類似するものとして取り扱うことができる。そこで、血糖値推定装置１４は、臓器情報取得装置５５から提供された患者のクローン臓器情報を血糖値測定用補助情報の１つとして用いて、推定血糖値を求めることができる。このように、臓器情報取得装置５５を用いることにより、代謝モデルの精度を向上させ、ひいては推定血糖値の信頼性を向上させることができる。
【０１２８】
なお、図１０に示される臓器情報取得装置５５は、患者のクローン臓器を用いるため、ある一定の設備を有する場所に設置する必要がある。しかしながら、よりコンパクトにクローン臓器情報と同等の情報を取得するために、例えば、図１１に示されるように、患者の膵臓と肝臓の細胞の情報（以下、臓器細胞情報と称する）を取得するようにしてもよい。
【０１２９】
[臓器情報取得装置５５の他の構成例]
図１１は、臓器情報取得装置５５の構成例であって、図１０とは別の構成例を示す図である。
【０１３０】
図１１の臓器情報取得装置５５は、患者の膵臓の細胞２４１と肝臓の細胞２４２を、患者の体内の再現環境内で培養する。そして、臓器情報取得装置５５は、図１０の例と同様に、行動生体情報データベース１２に記憶された行動情報及び生体情報に基づいて、患者の体内の再現環境を制御する。この場合、当該制御は、図示はしないが、内蔵するICチップ等により実行される。その結果、患者の膵臓の細胞２４１と肝臓の細胞２４２が環境の変化に応じて反応する。
【０１３１】
臓器情報取得装置５５は、患者の膵臓の細胞２４１と肝臓の細胞２４２の反応により得られる情報を臓器細胞情報として取得し、血糖値推定装置１４に提供する。
【０１３２】
ここで、患者の膵臓の細胞２４１と肝臓の細胞２４２の反応は、患者の体内の臓器の反応と類似するものとして取り扱うことができる。そこで、血糖値推定装置１４は、臓器情報取得装置５５から提供された患者の臓器情報を血糖値測定用補助情報の１つとして用いて、推定血糖値を求めることができる。このように、臓器情報取得装置５５を用いることにより、代謝モデルの精度を向上させ、ひいては推定血糖値の信頼性を向上させることができる。
【０１３３】
さらに、図１０と比較して図１１の臓器情報取得装置５５は、患者が携帯可能な程度にコンパクトに構成されているため、大量に生産することが容易に可能であり、低価格で患者に提供可能になると想定される。したがって、１人の患者が、複数の臓器情報取得装置５５を保有することは容易に可能になると想定される。このような場合、複数の臓器情報取得装置５５は、内部の環境を、推奨行動算出装置１６が算出する複数の異なる推奨行動のそれぞれに対応する環境に制御して、それぞれの異なる環境下での臓器細胞情報を取得することも可能になる。
【０１３４】
以上、説明したように、ステップＳ１４において、血糖値推定部１０４により、患者の推定血糖値が算出されることにより、患者は、頻繁に行う必要があった血糖値計４６による血糖値の測定回数を減らすことができる。したがって、患者は、血糖値の管理に伴う負担を軽減することができる。なお、血糖値推定部１０４による血糖値の推定は、患者の生体情報の推定の一例にすぎない。
【０１３５】
図３のフローチャートの説明に戻り、ステップＳ１５において、推奨行動算出部１０６は、血糖値推定部１０４により推定された推定血糖値に基づいて、推奨行動を算出する。
【０１３６】
推奨行動算出部１０６は、血糖値推定部１０４により推定された患者の現在の推定血糖値を用いて、複数の推奨行動の候補を求めて、血糖値推定部１０４に提供する。血糖値推定部１０４は、これらの複数の推奨行動の候補のそれぞれが未来に実施されたと仮定して、患者の未来の推定血糖値をそれぞれ算出して、推奨行動算出部１０６に提供する。推奨行動算出部１０６は、複数の推奨行動の候補のうち、未来の推定血糖値が適切な範囲内にある候補を推奨行動として選抜する。
【０１３７】
ステップＳ１６において、提示部１０７は患者に推奨行動を提示し、実施部１０８は患者に推奨行動を実施させる。すなわち、提示部１０７は、推奨行動と、当該推奨行動が実施された場合の未来の推定血糖値とを提示し、実施部１０８は、推奨行動を患者に意識させずに実施させる。
【０１３８】
提示部１０７は、食事についての推奨行動が推奨行動算出部１０６により算出された場合、食事サプリ提示デバイス６１により、患者に推奨する食事やサプリメントの内容を、当該食事やサプリメントを摂取した場合の未来の推定血糖値とともに、画像や音声により患者に提示する。
【０１３９】
また、提示部１０７は、運動についての推奨行動が推奨行動算出部１０６により算出された場合、運動提示デバイス６２により、患者に推奨する運動の内容を、当該運動を実施した場合の未来の推定血糖値とともに、画像や音声により患者に提示する。
【０１４０】
また、提示部１０７は、服薬についての推奨行動が推奨行動算出部１０６により算出された場合、服薬注射提示デバイス６３により、患者に推奨する服薬や注射の内容を、当該服薬や注射を実施した場合の未来の推定血糖値とともに、画像や音声により患者に提示する。
【０１４１】
また、提示部１０７は、脳活性化についての推奨行動が推奨行動算出部１０６により算出された場合、脳活性化提示デバイス６４により、患者に推奨する脳活性化を実現する行動の内容を、当該脳活性化を実現する行動を実施した場合の未来の推定血糖値とともに、画像や音声により患者に提示する。
【０１４２】
さらに、提示部１０７は、「食事Ａをしたいならば、運動Ｒをすればよい」等の条件付き推奨行動を提示することができる。したがって、患者は、運動Ｒをすることを条件に、今まで血糖値を制御するために我慢していた食事Ａをすることができるようになり、血糖値の管理に伴う負担が軽減される。
【０１４３】
実施部１０は、脳活性化についての推奨行動が推奨行動算出部１０６により算出された場合、脳活性化実施デバイス７１により、脳を活性化するための行動を、患者に意識させずに実施させる。
【０１４４】
また、実施部１０は、脳活性化についての推奨行動として筋肉運動が推奨行動算出部１０６により算出された場合、筋肉運動実施デバイス７２により、患者に筋肉運動を実施させる。
【０１４５】
ここで、本技術が適用される患者が血糖値を最適な値に管理するための手法の一例として、血糖値を下げるための手法について、既存の手法と適宜比較しつつ説明する。
【０１４６】
[患者の血糖値を下げるための既存の手法]
図１２は、患者の血糖値を下げるための既存の手法について説明する図である。
【０１４７】
図１２に示されるように、患者の血糖値を下げるための既存の手法として代表的なものとして、薬を注入する、インスリンポンプを使用する、体内の電極で膵臓に電圧を印加する、の３つの手法がある。
【０１４８】
以下、これらの３つの手法について、「対象」、「接触」、「注入・浸透」、及び「侵襲」といった４つの特徴の点を比較しつつ個別に説明する。なお、「対象」とは、その手法による制御の対象を意味する。「接触」とは、その手法が適用される場合に何かしらの物体が患者に接触することを意味する。「注入・浸透」とは、その手法が適用される場合に何かしらの物体が患者の体内に注入または浸透することを意味する。「侵襲」とは、その手法を適用するために、その手法の適用中またはその前後に、手術や検査等に伴う痛み、発熱、出血など、患者の肉体の通常の状況を乱す外部刺激を与えることを意味する。
【０１４９】
薬を注入する手法とは、血糖値を下げるための薬を、経口や注射器により患者の体内に注入する手法である。図１２に示されるように、当該手法による制御の「対象」は、血中の成分である。また、図１２において「接触」の項目内に丸印が示されているように、当該手法を用いる場合、薬、注射針が患者に接触する。また、図１２において「注入・浸透」の項目内に丸印が示されているように、当該手法を用いる場合、薬が患者の体内に注入されることから、患者への注入または浸透がある。図１２において「侵襲」の項目内に丸印が示されているように、当該手法は、服薬や注射器の使用が必要なため侵襲的であるといえる。
【０１５０】
インスリンポンプを使用する手法とは、ここではインスリンポンプを用いて患者の体内にインスリンを注入する手法をいう。インスリンポンプとは、患者の体内にインスリンを注入するための携帯型の小型機器であり、インスリンポンプに接続されたチューブと針が、患者の体内に埋め込まれる。患者は、食事や運動の内容に基づいてインスリンポンプを操作して、自ら注入するインスリン量を設定する。
【０１５１】
図１２に示されるように、当該手法による制御の「対象」は、血中の成分である。また、図１２において「接触」の項目内に丸印が示されているように、当該手法を用いる場合、患者はインスリンポンプが患者に接触する。また、図１２において「注入・浸透」の項目内に丸印が示されているように、当該手法を用いる場合、インスリンが患者の体内に注入されることから、患者への注入または浸透がある。図１２において「侵襲」の項目内に丸印が示されているように、当該手法は、インスリンポンプに接続されたチューブと針が患者の体内に埋め込まれるため侵襲的であるといえる。
【０１５２】
体内の電極で膵臓に電圧を印加する手法とは、膵臓からのグルカゴンの分泌を促すために、患者の体内に電極を埋め込み、膵臓に電圧を印加して電気刺激を与える手法である。図１２に示されるように、当該手法による制御の「対象」は、膵臓である。また、図１２において「接触」の項目内にバツ印が示されているように、当該手法を用いる場合、電極は患者の体内に埋め込まれているため、患者への接触はない。また、図１２において「注入・浸透」の項目内にバツ印が示されているように、当該手法を用いる場合、電圧が印加されることから、患者への注入または浸透はない。しかしながら、図１２において「侵襲」の項目内に丸印が示されているように、当該手法は、電極が患者の体内に埋め込まれるため侵襲的であるといえる。
【０１５３】
このように、上述した３つの手法はいずれも侵襲的であり、患者に負担がかかる。これに対して、本実施形態の推奨行動実施デバイス１８によれば、患者が意識しないうちに、血糖値を適切な値に管理するための推奨行動を実施させ、患者の血糖値を下げることができる。推奨行動実施デバイス１８による患者の血糖値を下げるための手法について、図１３を用いて説明する。
【０１５４】
[推奨行動実施デバイス１８による患者の血糖値を下げるための手法]
図１３は、推奨行動実施デバイス１８による患者の血糖値を下げるための手法について説明する図である。
【０１５５】
推奨行動実施デバイス１８が有する脳活性化実施デバイス７１は、脳を活性化するための行動を、患者に意識させずに実施させる。すなわち、脳活性化実施デバイス７１は、患者の脳を活性化することにより、血中の糖の消費を促進させ、血糖値を下げる。
【０１５６】
図１３に示されるように、脳活性化実施デバイス７１は、患者に対して匂いによる刺激を与えて、患者の脳を活性化させる。当該手法による制御の「対象」は、患者の脳と鼻である。また、図１３において「接触」の項目内にバツ印が示されているように、当該手法は、お香やアロマオイルの芳香成分を患者の鼻付近に滞留させることから、患者への接触はない。また、図１３において「注入・浸透」の項目内に丸印が示されているように、お香やアロマオイルの芳香成分の患者への注入や浸透はある。当該手法は、図１３において「侵襲」の項目内にバツ印が示されているように、患者の肉体への痛み、出血等の患者の肉体の通常の状況を乱す外部刺激はなく、非侵襲的である。
【０１５７】
また、脳活性化実施デバイス７１は、患者に対して音楽による刺激を与えて、患者の脳を活性化させる。当該手法による制御の「対象」は、患者の脳と耳である。また、図１３において「接触」、「注入・浸透」の項目内にバツ印が示されているように、当該手法は、患者に音楽を聞かせることにより行われるので、患者への接触、注入や浸透がない。当該手法は、図１３において「侵襲」の項目内にバツ印が示されているように、患者の肉体への痛み、出血等の患者の肉体の通常の状況を乱す外部刺激はなく、非侵襲的である。
【０１５８】
また、脳活性化実施デバイス７１は、患者に対して映像による刺激を与えて、患者の脳を活性化させる。当該手法による制御の「対象」は、患者の脳と眼である。また、図１３において「接触」、「注入・浸透」の項目内にバツ印が示されているように、当該手法は、患者に映像をみせることにより行われるので、患者への接触、注入や浸透がない。当該手法は、図１３において「侵襲」の項目内にバツ印が示されているように、患者の肉体への痛み、出血等の患者の肉体の通常の状況を乱す外部刺激はなく、非侵襲的である。
【０１５９】
また、脳活性化実施デバイス７１は、患者に対して感触による刺激を与えて、患者の脳を活性化させる。当該手法による制御の「対象」は、患者の脳と皮膚である。また、図１３において「接触」の項目内に丸印が示されているように、当該手法は、患者に所定の物体を接触させることにより行われるので、患者への接触はある。また、図１３において、「注入・浸透」の項目内にバツ印が示されているように、当該手法は、患者への注入や浸透はない。当該手法は、図１３において「侵襲」の項目内にバツ印が示されているように、患者の肉体への痛み、出血等の患者の肉体の通常の状況を乱す外部刺激はなく、非侵襲的である。
【０１６０】
また、脳活性化実施デバイス７１は、患者に対して問題の出題による刺激を与えて、患者の脳を活性化させる。当該手法による制御の「対象」は、患者の脳と眼である。また、図１３において「接触」、「注入・浸透」の項目内にバツ印が示されているように、当該手法は、患者に問題を出題することにより行われるので、患者への接触、注入や浸透がない。当該手法は、図１３において「侵襲」の項目内にバツ印が示されているように、患者の肉体への痛み、出血等の患者の肉体の通常の状況を乱す外部刺激はなく、非侵襲的である。
【０１６１】
さらに、推奨行動実施デバイス１８が有する筋肉運動実施デバイス７２は、筋肉運動を、患者に意識させずに実施させる。すなわち、脳活性化実施デバイス７１は、患者に筋肉運動を実施させることにより、筋肉に糖を取り込ませ、血糖値を下げる。
【０１６２】
図１３に示されるように、筋肉運動実施デバイス７２は、患者の筋肉に対して電気による刺激を与えて、筋肉運動を実施させる。当該手法による制御の「対象」は、患者の筋肉である。また、図１３において「接触」の項目内にバツ印が示されているように、当該手法は、患者が装着するEMS装置等により行われるので、患者への接触はある。また、図１３において、「注入・浸透」の項目内にバツ印が示されているように、当該手法は、患者への注入や浸透はない。当該手法は、図１３において「侵襲」の項目内にバツ印が示されているように、患者の肉体への痛み、出血等の患者の肉体の通常の状況を乱す外部刺激はなく、非侵襲的である。
【０１６３】
このように、本実施形態の推奨行動実施デバイス１８によれば、患者が意識しないうちに、血糖値を制御するための推奨行動を実施させることができる。当該手法は、非侵襲的であり、患者の負担を軽減することができる。
【０１６４】
次に、推奨行動実施デバイス１８による患者への推奨行動の実施の処理のうち、脳活性化実施デバイス７１の処理について説明する。
【０１６５】
[脳活性化実施デバイス７１の構成例]
図１４は、脳活性化実施デバイス７１の構成例を示す図である。
【０１６６】
図１４に示されるように、脳活性化実施デバイス７１は、実施装置２６１と問題データベース２６２を有している。
【０１６７】
実施装置２６１は、推奨行動算出装置１６により算出された推奨行動を患者に実施させる。例えば、実施装置２６１は、推奨行動算出装置１６により、患者に対して匂いによる刺激を与えることが推奨行動として算出された場合、お香やアロマオイルの芳香成分を患者の鼻付近に滞留させる。また、実施装置２６１は、推奨行動算出装置１６により、患者に対して音楽または映像による刺激を与えることが推奨行動として算出された場合、音楽または映像を出力する。また、実施装置２６１は、推奨行動算出装置１６により、患者に対して感触による刺激を与えることが推奨行動として算出された場合、患者に所定の物体を接触させる。
【０１６８】
また、例えば、実施装置２６１は、推奨行動算出装置１６により、問題の出題による刺激を与えることが推奨行動として算出された場合、問題を出題する。実施装置２６１は、問題データベース２６２に記憶されている問題の中から、所定の問題を検索して患者に出題する。
【０１６９】
実施装置２６１は、推奨行動を患者に実施させるときに、他の動作もあわせて行うことができる。例えば実施装置２６１は、推奨行動算出装置１６により算出された推奨行動の程度に応じて刺激の強度を変えることもできる。推奨行動の程度とは、刺激の強弱であり、強い刺激が与えられる程、患者の脳が活性化されて血糖値の変化量が大きくなる。
【０１７０】
例えば、実施装置２６１は、推奨行動算出装置１６により、問題の出題による刺激としてより強い刺激を与えることが推奨行動として算出された場合には、問題データベース２６２の中から難易度の高い問題を検索して出題する。これに対して、実施装置２６１は、推奨行動算出装置１６により、問題の出題による刺激としてより弱い刺激を与えることが推奨行動として算出された場合には、問題データベース２６２の中から難易度の低い問題を検索して出題する。
【０１７１】
同様に、実施装置２６１は、推奨行動算出装置１６により算出された推奨行動の程度に応じて、匂い、音楽、映像、感触による刺激の強弱も変化させる。
【０１７２】
また、実施装置２６１は、刺激の強弱を変化させるのと変えて又はそれと共に、さらに他の動作、例えば、患者に問題を出題した場合、患者が問題に解答しない限り携帯電話器が使えないようにするといった動作をしてもよい。
【０１７３】
本技術の実施の形態は、上述した実施の形態に限定されるものではなく、本技術の要旨を逸脱しない範囲において種々の変更が可能である。
【０１７４】
例えば上述の例では、推奨行動算出装置１６は、複数の推奨行動の候補のうち、未来の推定血糖値が適切な範囲内にある候補を推奨行動として選抜している。しかしながら、適切な範囲内にない推奨行動を、警告行動として推奨行動提示デバイス１７により提示させてもよい。これにより、患者は、警告行動のそれぞれを未来に実施した場合のリスクを、事前に知ることができ、危険を回避することができる。
【０１７５】
また例えば上述の例は、糖尿病の患者によって、推奨行動提示実施システム１が用いられるものとして説明した。しかしながら、推奨行動提示実施システム１は、糖尿病の予防、健康管理等の目的で、一般のユーザにより使用されてもよい。また、ユーザである患者がペット等の動物の場合には、例えば、推奨行動提示デバイス１７は、飼い主に対してペット等に対する推奨行動を提示する。飼い主は、当該推奨行動をペットに実施することで、ペットの健康を適切に管理することができる。
【０１７６】
また例えば、行動生体情報検出装置１１は、患者についての生体情報を検出するための構成として、その他に例えば、患者の脳波を計測する脳波計を有していてもよい。脳波計により検出される患者の脳波から、患者が推奨行動提示デバイス１７によって提示された推奨行動を実施したか否か、また、推奨行動実施デバイス１８によって推奨行動が実施されたか否かを検出することができる。当該検出の結果は、行動生体情報データベース１２に記憶され、行動推定装置１３による患者の行動の推定や血糖値推定装置１４による患者の血糖値の推定に用いられる。
【０１７７】
また例えば、推奨行動実施デバイス１８は、患者に推奨行動を実施させるための構成として、その他に例えば、インスリンポンプ等の注射実施デバイスを有していてもよい。注射実施デバイスは、注射についての推奨行動が推奨行動算出部１０６により算出された場合、インスリンポンプ等のインスリン量を設定して患者の体内にインスリンを注入する。これにより、患者は、食事や運動の内容に基づいて自らインスリンポンプを操作せずとも、血糖値を下げることができるようになる。
【０１７８】
以上、説明したように、推奨行動提示実施システム１により、患者の各種行動情報が検出されるので、患者は、血糖値の予測に必要な行動情報を自ら手動入力する必要なくなり、負担が軽減される。また、推奨行動提示実施システム１により検出される行動情報は、患者自らの入力によるものでないため、客観的な情報であるということができる。
【０１７９】
また、推奨行動提示実施システム１により、患者の推定血糖値が算出されるので、患者は、血糖値の管理のために、頻繁に行う必要があった針を用いる血糖値の測定回数を減らすことができる。
【０１８０】
また、推奨行動提示実施システム１により、条件付き推奨行動が提示されるので、患者は条件付きではあっても、今まで血糖値を管理するために制限していた行動をすることができるようになる。
【０１８１】
また、推奨行動提示実施システム１により、患者は、警告行動のそれぞれを未来に実施した場合のリスクを、事前に知ることができるので、血糖値を適切に管理することができる。
【０１８２】
また、推奨行動提示実施システム１により、患者が意識しないうちに推奨行動が実施され、血糖値が管理されるため、侵襲的な手法による血糖値の管理を用いることを抑制することができる。
【０１８３】
また、推奨行動提示実施システム１により、そのユーザが意識しないうちに推奨行動が実施されるので、医療知識を持たない一般のユーザも、血糖値を適切に管理することができる。
【０１８４】
[本技術のプログラムへの適用]
上述した一連の処理は、ハードウェアにより実行させることもできるし、ソフトウェアにより実行させることもできる。
【０１８５】
この場合、上述した情報処理装置の少なくとも一部として、例えば、図１５に示されるパーソナルコンピュータを採用してもよい。
【０１８６】
図１５において、CPU３０１は、ROM３０２に記録されているプログラムに従って各種の処理を実行する。または記憶部３０８からRAM３０３にロードされたプログラムに従って各種の処理を実行する。RAM３０３にはまた、CPU３０１が各種の処理を実行する上において必要なデータなども適宜記憶される。
【０１８７】
CPU３０１、ROM３０２、及びRAM３０３は、バス３０４を介して相互に接続されている。このバス３０４にはまた、入出力インタフェース３０５も接続されている。
【０１８８】
入出力インタフェース３０５には、キーボード、マウスなどよりなる入力部３０６、ディスプレイなどよりなる出力部３０７が接続されている。また、ハードディスクなどより構成される記憶部３０８、及び、モデム、ターミナルアダプタなどより構成される通信部３０９が接続されている。通信部３０９は、インターネットを含むネットワークを介して他の装置（図示せず）との間で行う通信を制御する。
【０１８９】
入出力インタフェース３０５にはまた、必要に応じてドライブ３１０が接続され、磁気ディスク、光ディスク、光磁気ディスク、或いは半導体メモリなどよりなるリムーバブルメディア３１１が適宜装着される。そして、それらから読み出されたコンピュータプログラムが、必要に応じて記憶部３０８にインストールされる。
【０１９０】
一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、ネットワークや記録媒体からインストールされる。
【０１９１】
このようなプログラムを含む記録媒体は、図１５に示されるように、装置本体とは別に、ユーザにプログラムを提供するために配布される、プログラムが記録されている磁気ディスク（フロッピディスクを含む）、光ディスク（CD-ROM(Compact Disk-Read Only Memory),DVD(Digital Versatile Disk)を含む）、光磁気ディスク（MD（Mini-Disk）を含む）、もしくは半導体メモリなどよりなるリムーバブルメディア（パッケージメディア）３１１により構成されるだけでなく、装置本体に予め組み込まれた状態でユーザに提供される、プログラムが記録されているROM３０２や、記憶部３０８に含まれるハードディスクなどで構成される。
【０１９２】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
【０１９３】
本技術は、生体情報を予測する情報処理装置に適用することができる。
【０１９４】
なお、本技術は、以下のような構成もとることができる。
（１）
ユーザを対象とした行動情報及び生体情報を検出する検出部と、
前記検出部により検出された前記行動情報及び前記生体情報を代謝モデルに適用して、推定生体情報を算出する生体情報推定部と、
前記生体情報推定部により算出された前記推定生体情報に基づいて算出された推奨行動をユーザに提示する提示部と
を備える情報処理装置。
（２）
前記推奨行動をユーザに実施させる実施部
をさらに備える前記（１）に記載の情報処理装置。
（３）
前記検出部により検出された前記行動情報及び前記生体情報に基づいて、前記ユーザの行動を推定する行動推定部
をさらに備える前記（１）または（２）に記載の情報処理装置。
（４）
前記生体情報推定部により算出された前記推定生体情報に基づいて、前記推奨行動を算出する推奨行動算出部と、
前記検出部により検出された実測生体情報と前記生体情報推定部により算出された前記推定生体情報とを用いて、前記代謝モデルを更新する更新部
をさらに備える前記（１）、（２）、または（３）に記載の情報処理装置。
（５）
前記実施部は、前記ユーザの脳を活性化するための行動または前記ユーザの筋肉運動を前記ユーザに実施させる
前記（１）乃至（４）のいずれかに記載の情報処理装置。
（６）
前記更新部は、前記検出部により検出された前記実測生体情報と前記生体情報推定部により算出された前記推定生体情報との差分を用いて、前記代謝モデルを更新する
前記（１）乃至（５）のいずれかに記載の情報処理装置。
（７）
前記生体情報の実測値又は前記推定生体情報を用いて前記推奨行動を算出するかを判定する判定部
をさらに備える前記（１）乃至（６）のいずれかに記載の情報処理装置。
（８）
前記行動情報は、食事情報又は運動情報または服薬情報であり、
前記生体情報は、血糖値情報又は尿糖値情報である
前記（１）乃至（７）のいずれかに記載の情報処理装置。
（９）
前記生体情報推定部による前記推定生体情報の算出に補助的に用いられる情報の記憶を制御する記憶制御部
をさらに備える前記（１）乃至（８）のいずれかに記載の情報処理装置。
（１０）
前記情報は、前記ユーザとは異なる他者についての、前記実測生体情報に対する前記推定生体情報との差分である
前記（１）乃至（９）のいずれかに記載の情報処理装置。
（１１）
前記情報は、前記ユーザについての、前記実測生体情報に対する前記推定生体情報との差分である
前記（１）乃至（１０）のいずれかに記載の情報処理装置。
【符号の説明】
【０１９５】
１  推奨行動提示実施システム，  １１  行動生体情報検出装置，  １２  行動生体情報データベース，  １３  行動推定装置，  １４  血糖値推定装置，  １５  血糖値推定用補助情報提供装置，  １６  推奨行動算出装置，  １７  推奨行動提示デバイス，  １８  推奨行動実施デバイス，  １０１  検出部，  １０２  行動生体情報記憶制御部，  １０３  行動推定部，  １０４  血糖値推定部，  １０５  補助情報提供部，  １０６  推奨行動算出部，  １０７  提示部，  １０８  実施部，  １１１  更新部，  １２１  記憶制御部，  １２２  臓器情報取得部，  １３１  判定部
【図１】
2012235869.tif 000003
【図２】
2012235869.tif 000004
【図３】
2012235869.tif 000005
【図４】
2012235869.tif 000006
【図５】
2012235869.tif 000007
【図６】
2012235869.tif 000008
【図７】
2012235869.tif 000009
【図８】
2012235869.tif 000010
【図９】
2012235869.tif 000011
【図１０】
2012235869.tif 000012
【図１１】
2012235869.tif 000013
【図１２】
2012235869.tif 000014
【図１３】
2012235869.tif 000015
【図１４】
2012235869.tif 000016
【図１５】
2012235869.tif 000017